(57)【特許請求の範囲】
【請求項１】
道路周辺に設置され、立設する支柱に構造体が取り付けられた道路付帯設備であって、支柱の途中には支柱を回転させて支柱又は／及び構造体の視野角を調整する回転手段が設けられ、構造体は標識板であって、標識板表面の標識面を表示する必要があるときには標識板を垂直若しくはそれに近い角度とし、表示する必要のないときには回転手段を用いて支柱を回転させ、標識板を水平若しくはそれに近い角度とする視野角調整型道路付帯設備であって、地面固定側支柱と標識板側の支柱にそれぞれ矩形のプレートが取り付けられ、支柱は該プレートを境に分割され、標識板側の支柱には地面固定側の支柱の内径より小さい外径を有するスリーブが取り付けられ、該スリーブが地面固定側の支柱の中空部に挿入されると共に、前記プレート同士が固定手段により固定されていることを特徴とする視野角調整型道路付帯設備。
【請求項２】
道路周辺に設置され、立設する支柱に構造体が取り付けられた道路付帯設備であって、支柱の途中には支柱を回転させて支柱又は／及び構造体の視野角を調整する回転手段が設けられている視野角調整型道路付帯設備であって、回転手段は、支柱の途中に設けられた回転軸であって、該回転軸を境に一方には構造体が取り付けられ、他方には構造体との重量のバランスをとるための重りが設けられ、回転軸を中心に支柱が回転可能とされると共に、重りの下端付近に前記支柱又は／及び構造体の回転を抑止する回転止めが設けられていることを特徴とする視野角調整型道路付帯設備。
【請求項３】
前記重りによる重量バランスは、重り側が重くなされていることを特徴とする請求項２に記載の視野角調整型道路付帯設備。
【請求項４】
構造体は、取り外し可能であることを特徴とする請求項２又は３に記載の視野角調整型道路付帯設備。
【発明の詳細な説明】
【０００１】
【発明の属する技術分野】
本発明は、道路周辺に立設された道路付帯設備であって、支柱に構造体が取り付けられ、構造体の視野角を状況に応じて調整することが可能である道路付帯設備に関するものである。
【０００２】
【従来の技術】
従来の、支柱に構造体が取り付けられた道路付帯設備は、設置後に動かすことを考慮せずに設置されており、その道路付帯設備が不要となり、道路利用者の視野を阻害したり、また周囲の景観を損ねているときには、地表付近から支柱を切断したり、また地表にアンカーボルトを用いて設置されている場合はボルトを外して支柱を倒したりして撤去し、道路利用者の視野から遠ざけるようにしていた。
【０００３】
また、一旦撤去した道路付帯設備が再び必要となった場合には、再度支柱を地面に埋設したり、アンカーボルトに取り付けし直したりしていた。
【０００４】
【発明が解決しようとする課題】
しかしながら、これらの方法では手間暇や費用がかかるのは当然のこと、撤去や再度の取り付けの際に、道路付帯設備が大型のものであれば重機を使用する必要があり、作業時間も長く、それに伴い長時間の交通規制が必要となる。更には、長尺の支柱を立設するには、作業において危険が伴うものである。
【０００５】
そこで本発明は、大掛かりな作業を必要とすることなく、支柱に構造体が取り付けられた道路付帯設備を、不要となったときに道路利用者の視野から遠ざけることができる視野角調整型道路付帯設備を提供せんとするものである。
【０００６】
【課題を解決するための手段】
上記課題を解決するために、本発明は以下のような構成としている。すなわち、道路周辺に設置され、立設する支柱に構造体が取り付けられた道路付帯設備であって、支柱の途中には支柱を回転させて支柱又は／及び構造体の視野角を調整する回転手段が設けられ、構造体は標識板であって、標識板表面の標識面を表示する必要があるときには標識板を垂直若しくはそれに近い角度とし、表示する必要のないときには回転手段を用いて支柱を回転させ、標識板を水平若しくはそれに近い角度とする視野角調整型道路付帯設備であって、地面固定側支柱と標識板側の支柱にそれぞれ矩形のプレートが取り付けられ、支柱は該プレートを境に分割され、標識板側の支柱には地面固定側の支柱の内径より小さい外径を有するスリーブが取り付けられ、該スリーブが地面固定側の支柱の中空部に挿入されると共に、前記プレート同士が固定手段により固定されていることを特徴とするものである。
【０００７】
支柱の途中に回転手段を設けて、その回転手段を用いて支柱を回転させ、支柱、構造体の視野角を調整し、道路利用者の視野に入りにくい角度とすれば、支柱、構造体を道路利用者の視野から遠ざけることができる。視野角の調整に、支柱の途中に設けた回転手段を用いているので、道路利用者の視野から支柱、構造体を遠ざけるのに、大掛かりな作業を必要としない。また、再び必要とされるときにも、回転手段を用いて支柱を回転させることで、元の位置に戻すことが容易に可能である。
【０００８】
前記の、支柱に取り付けられる構造体は標識板であって、標識板表面の標識面を表示する必要があるときには標識板を垂直若しくはそれに近い角度とし、表示する必要のないときには回転手段を用いて支柱を回転させ、標識板を水平若しくはそれに近い角度とするものである。
【０００９】
本発明によれば、標識板は板状の構造体であり、見る角度によってその視野角が大きく異なるものであることから、標識板のみを回転させることだけでもその視野角を著しく減少させることが可能である。また、回転手段は標識板のみの視野角を調整するもので済むことから、簡易なものとすることができる。
【００１０】
また、本発明に係わる視野角調整型道路付帯設備は、道路周辺に設置され、立設する支柱に構造体が取り付けられた道路付帯設備であって、支柱の途中には支柱を回転させて支柱又は／及び構造体の視野角を調整する回転手段が設けられている視野角調整型道路付帯設備であって、回転手段は、支柱の途中に設けられた回転軸であって、該回転軸を境に一方には構造体が取り付けられ、他方には構造体との重量のバランスをとるための重りが設けられ、回転軸を中心に支柱が回転可能とされると共に、重りの下端付近に前記支柱又は／及び構造体の回転を抑止する回転止めが設けられているものである。
【００１１】
また、前記重りによる重量バランスは、重り側が重くなされているものであってもよい。
【００１２】
本発明によれば、支柱が回転可能とされていることから、構造体と支柱を併せて回転させることで、より視野角を小さいものとできる。また、構造体との重量バランスをとるために、重りや牽引手段が設けられていることから、基礎から取り外すよりもはるかに小さい力で支柱、構造体の視野角を調整することが可能となり、重機等の大掛かりな装置が必要でなくなる。
【００１３】
前記の、回転手段を回転軸とした道路付帯設備について、構造体は取り外し可能なものであってもよい。構造体が、通常は高所作業車等により高い位置に登らないと作業員が接触できないものであっても、回転手段としての回転軸を中心に支柱が回転されることで、構造体を接触可能な地表に近づけて作業員が接触するようにでき、安全に取り外しを行うことができる。取り外しを行うことで、構造体が不必要である時期に、構造体を屋外に放置せず倉庫等に収納しておくことで、構造体の劣化を抑えることができる。
【００１４】
【発明の実施の形態】
本発明の実施の形態について、図面に基づき以下に具体的に説明する。
図１は、本発明に係わる実施の一形態を示すもので、支柱の途中に回転手段を設け、支柱の先端に構造体として矢印状の標識板を設けたものである。矢印状の標識板２ａは、その矢印が車道Ｒと歩道Ｈとの境界線にある縁石Ｅを指し示すように設置され、更にはその下端には発光体が設けられている。この様な矢印状の標識板２ａは、矢印の指し示す方向及び発光体の下方に向けての発光により、積雪により縁石Ｅが隠された場合においても車道Ｒと歩道Ｈとの境界が判別できるようにする目的で設置されるものである。
【００１５】
本実施形態における矢印状の標識板２ａは、前述の如く積雪時に活用されるものであり、積雪時以外においては特に機能するものではなく不必要なものであり、車道Ｒを走行する車両の運転者等の視界に入ることで、他方に向けられるべき注意が疎かになったり、目障りであったりすると共に、矢印状の標識板２ａの後方に道路標識や信号機が設けられている場合には、それらを視認するのに障害となる。これらの理由から、矢印状の標識板２ａは運転者等の視界に入らないようにすることが好ましい。
【００１６】
本実施形態は、支柱１が地面から立設され、途中から曲がって平行となり、平行となった部分が更に延びて、その先端に矢印状の標識板２ａが取り付けられている。このような形状とすることで、歩道Ｈの利用者の邪魔にならずに、縁石Ｅの位置を明示することができる。前記の平行となった部分の支柱の途中に回転手段３が設けられ、回転手段３を境に地面固定側の支柱１１と標識板側の支柱１２に分割され、標識板側の支柱１２が回転することで矢印状の標識板の視野角２ａが調整されることとなる。
【００１７】
その視野角を調整する回転手段３及び矢印状の標識板２ａを示すのが図２である。回転手段３は、地面固定側の支柱１２に取り付けられたプレート３１、標識板側の支柱１２に取り付けられたプレート３２、前記２つのプレートを固定する固定手段３３からなるものであり、固定手段３３を外し、標識板側の支柱１２を９０度矢印の方向ｒに回転させることで、標示面が地表とほぼ垂直とされていた矢印状の標識板２ａは、地表とほぼ水平とされ、視野角は大幅に減少する。従って、車両の運転者等から見ても、矢印状の標識板２ａの存在はほとんど気にならないものとなり得る。
【００１８】
回転手段３の一例の詳細を示すのが図３であり、地面固定側の支柱１１及び標識板側の支柱１２にはそれぞれ矩形のプレート３１及び３２が取り付けられ、支柱１はプレート３１及び３２を境に分割されている。プレート同士は、固定手段３３であるボルト３３ａにより固定されており、ボルトを外して標識板側の支柱１２を９０度回転させて標識板の視野角を調整できる。固定手段３３にボルトを用いることで、プレート同士は強固に固定され、風荷重や振動により外れる恐れが小さくなる。
【００１９】
このとき、プレート３１及び３２に穿設し、ボルト３３ａを挿入するボルト孔の間隔を、上下方向及び左右方向でほぼ同一にしておくことで、余分なボルト孔を穿設する必要がなく、プレートの４隅に穿設したボルト孔を有効に活用することができる。また、標識板側の支柱１２には、地面固定側の支柱１１の内径よりやや小さい外径を有するスリーブ１２１を取り付け、そのスリーブ１２１を地面固定側の支柱１１の中空部に挿入しておけば、ボルトを外した際に標識板側の支柱１２が標識板諸とも脱落する恐れがなくなり、安全な作業ができると共に、標識板側の支柱１２を回転させた後にボルト孔同士を合わせるのが容易となり好ましい。
【００２０】
図４は、本発明の実施の一形態を示すものであり、回転手段３が支柱の途中に設けられた回転軸３４であり、その回転軸３４を境に一方には構造体２が設けられ、他方には構造体２が設けられた側との重量バランスをとるための重り４が設けられているものである。支柱の途中の回転軸３４は、地面に固定された支持体３５により支持され、回転させる必要がないときには、ボルトが支持体３５と支柱１とを固定し回転止め３６となされている。
【００２１】
回転止め３６として設けられたボルトを外すことで、構造体２である矢印状の標識板２ａが取り付けられた支柱１は、図５に示すように回転軸３４を中心に回転される。図５は、図４のａ方向から図４に示した支柱及び構造体を見た側面図であるが、回転軸３４を境に矢印状の標識板２ａ側とは反対側に設けられた重り４により、支柱は急激に倒れることがなく安全な作業ができ、重量バランスを考慮した重量の重り４を設けておくことで、人力により容易に支柱を回転させることができる。従って、高所作業車等を用いることなく、矢印状の標識板２ａの視野角を調整することができ、更には支柱の視野角も同時に調整することができることから、矢印状の標識板２ａのみの視野角を調整する以上に支柱１及び構造体２が運転者等の視野に入ることは少なくなる。
【００２２】
重り４による重量バランスは、やや重り４の側を重くしておくのが好ましい。重り４の側を重くしておくことで、万一回転止め３６が外れた場合に、支柱１が倒れることがなく、回転止め３６が外れた場合でも安全である。
【００２３】
本実施形態に示すが如く、回転軸３４を中心に支柱１を回転させるものについては、支柱１の先端付近に取り付けられる構造体２や、構造体２が取り付けられる先端付近の支柱１は風荷重や積雪荷重等からの影響を考慮した上で、できる限り軽量のものとするのが好ましい。先端部分のように、回転軸３４から遠い箇所になる程、重量増による重量バランスをとるための重り４を大きくせざるを得なくなり、重り４が大きくなることでのコスト高や、支持体３５や回転軸３４の負担増又は大型化が避けられないものとなる。構造体２や、先端付近の支柱１は、金属の中でも軽量なアルミニウムやチタニウム等から形成されるのが好ましく、強度的に許容されるのであれば合成樹脂を用いて形成されるものであってもよい。
【００２４】
また、回転軸３４を中心に支柱１が回転する方向は一方向であることが安全であり好ましく、いずれか一方の回転方向に対して、重り４の部分を張り出させて支持体３５に当たる部分を設ける等の方法で、回転ストッパーを設けておくことが好ましい。
【００２５】
図６は、本発明に係わる実施の一形態を示す側面図で、回転軸３４を中心に支柱１を回転させる際の構造体２との重量バランスをとるために牽引装置５を用いたものを示すものである。牽引装置５であるウインチ５ａからのワイヤー５１を支柱１の下端付近に取り付けた状態で、支持体３５と支柱１を固定する回転止め３６のボルトを外し重量バランスをとりながら支柱１を回転させることで、重り４を設けることなく安全に支柱を回転させることが可能となる。
【００２６】
ウインチ５ａからのケーブル５１は、支柱１のより下端付近に取り付けるのが、回転させるときの重量が小さくなり、またワイヤー５１の支柱１への取付部の重量的な負担を軽減する上で好ましい。また本実施形態において、ウインチ５ａはハンドル５ａ１による手動式のものとし、特に電気等がなくても支柱１の回転が可能なようになされているが、電気等の動力源が入手可能な場所であれば、モーター等を併設して人力によらず支柱の回転を行うことができるようにしても構わない。
【００２７】
図７は、本発明に係わる実施形態の変形を示すものであり、支柱１に取り付けられる構造体２が照明灯具２ｂであるものである。照明灯具２ｂは、蛍光灯や電球等の発光体の前面に配された透明なカバー２ｂ１が汚れ、照明としての機能が低下したとき、従来はその透明なカバー２ｂ１を高所作業車等を用いて作業員が高所に登り、清掃することでその機能を回復させていたが、本発明に係わる支柱の途中に設けられた回転軸３４を中心に支柱を回転させることで、人力により容易に照明灯具を地表近くに接近させることができ、透明なカバー２ｂ１の清掃を行うことができる。また、蛍光灯や電球等の発光体が切れたときにもその交換を容易に行うことができる。
【００２８】
図８は、本発明に係わる実施形態の変形を示すものであり、支柱１及び支柱１間に設けられた平板状の構造体２である防風雪板２ｃにより構成された防風雪柵を示すものである。防風雪柵は道路近傍に設けられて吹雪を直接道路に吹き付けさせないようにするものであるが、通常の柵より一般に上端の地上高が高く、また道路を暗くしたりすることから、積雪時以外の時期は防風雪板２ｃが取り外されることが多い。防風雪板２ｃを撤去するには、従来防風雪柵自体を折り畳んだりしているが、本実施形態に示すように、支柱１を回転軸３４を中心に回転させて、上端部まで作業者が接触可能な状態にし、その状態で防風雪板２ｃを取り外すことができれば、複雑な機構を用いることなく収納式の防風雪柵を得ることができる。
【００２９】
尚、図７及び図８に示した実施形態においては、構造体側との重量バランスをとるのに重り４を用いているが、重り４に限らず牽引装置５を用いたものであってもよい。
【００３０】
【発明の効果】
支柱の途中に回転手段を設けて、その回転手段を用いて支柱を回転させ、支柱、構造体の視野角を調整し、道路利用者の視野に入りにくい角度とすれば、支柱、構造体を道路利用者の視野から遠ざけることができる。視野角の調整に、支柱の途中に設けた回転手段を用いているので、道路利用者の視野から支柱、構造体を遠ざけるのに、大掛かりな作業を必要としない。また、再び必要とされるときにも、回転手段を用いて支柱を回転させることで、元の位置に戻すことが容易に可能である。
【図面の簡単な説明】
【図１】本発明に係わる実施の一形態を示す説明図である。
【図２】支柱及び構造体の回転手段による回転の状態を示す側面図である。
【図３】回転手段の一例の詳細を示す斜視図である。
【図４】本発明に係わる実施の一形態を示す説明図である。
【図５】本発明に係わる実施の一形態を示す側面図である。
【図６】本発明に係わる実施の一形態を示す側面図である。
【図７】本発明に係わる実施形態の、変形の一例を示す説明図である。
【図８】本発明に係わる実施形態の、変形の一例を示す説明図である。
【符号の説明】
１    支柱
１１  地面固定側の支柱
１２  標識板側の支柱
１２１  スリーブ
２    構造体
２ａ  矢印状の標識板
２ｂ  照明灯具
２ｂ１  透明なカバー
２ｃ  防風雪板
３    回転手段
３１、３２  プレート
３３  固定手段
３４  回転軸
３５  支持体
３６  回転止め
４    重り
５    牽引手段
５ａ  ウインチ
５１  ケーブル
【図１】
0003958562.tif 000002
【図２】
0003958562.tif 000003
【図３】
0003958562.tif 000004
【図４】
0003958562.tif 000005
【図５】
0003958562.tif 000006
【図６】
0003958562.tif 000007
【図７】
0003958562.tif 000008
【図８】
0003958562.tif 000009